(57)【要約】      （修正有）【課題】就寝時や横になった際に装着者の排出領域から排出された液状物が股間部の肌を伝い漏れて、下着や洋服等に漏れること、また伝い漏れている状態の不快感の軽減や防止をすることができる吸収性物品を提供する。【解決手段】吸収性物品１は、第１辺２３、第２辺２４、第３辺２５および第４辺２６の羽部２と、二等辺三角形の底辺である第６辺、第９辺、及び第１１辺３７、第１２辺３８、第１３辺３９の吸収体部３から構成される。第３辺は第１辺の１．２倍以上であり、第９辺は第６辺の１．２倍以上であり、第９辺の中心と第８角部３Ｄの高さは第６辺の中心と第５角部３Ｃの高さの１．２倍以上である。第３辺の後側面側から見た吸収性物品の大きさは、第１辺の前側面側から見た吸収性物品より大きい。第１角部２Ａ、第２角部２Ａ１、第３角部２Ｂ、第４角部２Ｂ１、第５角部、第８角部、および第１３辺は、丸みを持つ。【選択図】図１
0003231734.tif 000002
【実用新案登録請求の範囲】
【請求項１】
上面視において
第１角部と、
第２角部と、
第３角部と、
第４角部と、
前記第１角部と前記第２角部とを繋ぐ第１辺と、
前記第２角部と前記第３角部とを繋ぐ第２辺と、
前記第３角部と前記第４角部とを繋ぐ第３辺と、
前記第４角部と前記第１角部とを繋ぐ第４辺と、
を有し、
互いに向かい合う前記第１辺と前記第３辺は平行であり、互いに向かい合う前記第２辺と前記第４辺の長さは同じであり、前記第１辺と互いに向かい合う前記第３辺の長さは前記第１辺の長さの１．２倍以上である吸収性物品であって、
前記第１辺側から見た前側面視において、
第５角部と
第６角部と、
第７角部と、
前記第５角部と前記第６角部とを繋ぐ第５辺と、
前記第６角部と前記第７角部とを繋ぐ第６辺と、
前記第７角部と前記第５角部とを繋ぐ第７辺と、
を有し、
前記第５辺と前記第７辺長さが等しい二等辺三角形であり、
前記第３辺側から見た後側面視において、
第８角部と
第９角部と、
第１０角部と、
前記第８角部と前記第９角部とを繋ぐ第８辺と、
前記第９角部と前記第１０角部とを繋ぐ第９辺と、
前記第１０角部と前記第８角部とを繋ぐ第１０辺と、
を有し、
前記第８辺と前記の第１０辺の長さが等しい二等辺三角形であり、
さらに前記第６角部と前記第１０角部とを繋ぐ第１１辺と、
前記第７角部と前記第９角部とを繋ぐ第１２辺と、
前記第５角部と前記第８角部とを繋ぐ第１３辺と、
を有し、
互いに向かい合う前記第１１辺の長さと前記第１２辺の長さが同じであり、前記第６辺と互いに向かい合う前記第９辺の長さは前記第６辺の長さの１．２倍以上であり、前記第９辺の中心と前記第８角部の高さは前記第６辺の中心と前記第５角部の高さの１．２倍以上である、吸収性物品。
【請求項２】
請求項１記載の吸収性物品において、
前記第１角部、前記第２角部、前記第３角部、前記第４角部、前記第５角部、前記第８角部および前記第１３辺は丸みを持たせている、吸収性物品。
【請求項３】
請求項１または２記載の吸収性物品において、
前記吸収性物品の肌に接する肌当接面の素材は、液透過性のある不織布、開孔フィルム、綿、オーガニックコットン、もしくはいずれかを組み合わせたものである、吸収性物品。
【請求項４】
請求項１〜３のいずれか１項に記載の吸収性物品において、
前記吸収性物品の肌に接しない非肌当接面の素材は、フィルム素材、撥水性の不織布、もしくはいずれかを組み合わせたものである、吸収性物品。
【請求項５】
請求項１〜４のいずれか１項に記載の吸収性物品において、
前記吸収性物品の装着者の排泄領域から排泄された液状物を吸収する素材は、綿、綿状パルプ、高分子吸収剤、給水紙、もしくはいずれかを組み合わせたものである、吸収性物品。
【請求項６】
請求項１〜５のいずれか１項に記載の吸収性物品において、
前記吸収性物品の装着者の股間部の肌に貼付し固定する羽部の粘着テープの素材は、ポリエステル不織布、アクリル系粘着剤とを組み合わせたものである、吸収性物品。
【考案の詳細な説明】
【技術分野】
【０００１】  本考案は吸収性物品に関し、例えば生理用ナプキン、パンティーライナー（おりものシート）尿失禁パッド等と併用して、装着者の排泄領域から排泄された液状物の伝い漏れを防ぐ吸収性物品に好適に利用できるものである。
【背景技術】
【０００２】  例えば特開２０１９−１０３７１０号公報には、吸収性物品の後方領域が中間領域の幅方向の外方に膨出するように構成された吸収性物品であって、中央域の縦溝の肌当接面側の底部が側方域の上面より上方に突出した突出部を有する吸収性物品が記載されている。
【先行技術文献】
【特許文献】
【０００３】
【特許文献１】特開２０１９−１０３７１０号公報
【考案の概要】
【考案が解決しようとする課題】
【０００４】  生理用ナプキン、パンティーライナー（おりものシート）、失禁パッド等の吸収性物品は装着者の排泄領域から排泄された液状物を吸収するため、下着に吸収性物品を固定して使用している。【０００５】  装着者の排泄領域から排泄された液状物は、立位や座位で明らかなよじれや装着位置のずれがない限り、重力に従い、下着に固定された吸収性物品に吸収される。【０００６】  ところで、就寝時の仰臥位での装着者の排泄領域から排泄された液状物は、装着者の排泄領域から装着者の股間部の肌を伝い背中側へと漏れる。【０００７】  そこで、例えば前記特許文献１で装着者の股間部の肌と吸収性物品との隙間を埋めるために、吸収性コアを要する突出部が提案されている。また突出部でも吸収しきれずに背中側に漏れた液状物を吸収するため、通常の形態のものより後方に広く長く形成する提案がされている。しかしながら、吸収性物品は装着者の下着側に装着して固定するため、装着者の股間部の肌と吸収性物品の隙間を完全に埋めることが難しいという課題がある。
【課題を解決するための手段】
【０００８】  一実施の形態による吸収性物品は、上面視によって、第１辺、第２辺、第３辺および第４辺の羽部と、第１１辺、第１２辺、第１３辺の吸収体部から構成される。第３辺は第１辺の１．２倍以上であり、第９辺は第６辺の１．２倍以上であり、第９辺の中心と第８角部の高さは第６辺の中心と第５角部の高さの１．２倍以上である。
第１角部、第２角部、第３角部、第４角部、第５角部、第８角部、および第１３辺は、肌に角部が当たらないよう、角部に丸みを帯びている。
【考案の効果】
【０００９】  一実施の形態によれば、装着者の股間部の肌と吸収性物品の隙間を完全に埋めて、伝い漏れを止めることができる。
本願において開示される考案のうち、代表的なものによって得られる効果を簡単に説明すれば、以下のとおりである。
【図面の簡単な説明】
【００１０】
【図１】一実施の形態による吸収性物品の一例を示すである斜視図である。
【図２】（ａ）は、一実施の形態による吸収性物品の一例を示す図１の（ア）方向から見た前側面図と、（ｂ）は、一実施の形態による吸収性物品の一例を示す図１の（イ）方向から見た後側面図である。
【図３】一実施の形態による吸収性物品の一例を示す図１の（ウ）方向から見た右側面図である。
【図４】一実施の形態による吸収性物品の一例を示す上面図である。
【図５】一実施の形態による吸収性物品の装着状態の一例を示す装着者の正面から見た模式図である。
【考案を実施するための形態】
【００１１】  以下、実施の形態を図面に基づいて詳細に説明する。なお、実施の形態を説明するための全図において、同一の機能を有する部材には同一または関連する符号を付し、その繰り返しの説明は省略する。また、複数の類似の部材（部位）が存在する場合には、総称の符号に記号を追加し個別または特定の部位を示す場合がある。また、以下の実施の形態では、特に必要なとき以外は同一または同様な部分の説明を原則として繰り返さない。
（実施の形態）
【００１２】  本実施の形態による吸収性物品について図１〜図５を用いて説明する。図１は本実施の形態による吸収性物品の一例を示す斜視図である。図２（ａ）および（ｂ）のそれぞれは、本実施の形態による吸収性物品の一例を示す図１の（ア）方向から見た前側面図（ａ）および、図１の（イ）方向から見た後側面図（ｂ）である。図３は本実施の形態による吸収性物品の一例を示す図１の（ウ）方向から見た右側面図である。図４は本実施の形態による吸収性物品の一例を示す上面図である。図５は本実施の形態による吸収性物品の装着状態の一例を示す装着者の正面から見た模式図である。
【００１３】  図１に示すように、具体的には、吸収性物品１は第１角部２Ａ、第２角部２Ａ１、第３角部２Ｂ、第４角部２Ｂ１を有し、さらに第１角部２Ａと第２角部２Ａ１とを繋ぐ第１辺２３と、第２角部２Ａ１と第３角部２Ｂとを繋ぐ第２辺２４と、第３角部２Ｂと第４角部２Ｂ１とを繋ぐ第３辺２５と、第４角部２Ｂ１と第１角部２Ａとを繋ぐ第４辺２６とを有する。
図２（ａ）に示すように、第５角部３Ｃ、第６角部３Ｅ、第７角部３Ｅ１を有し、さらに第５角部３Ｃと第６角部３Ｅとを繋ぐ第５辺３１と、第６角部３Ｅと第７角部３Ｅ１とを繋ぐ第６辺３２と、第７角部３Ｅ１と第５角部３Ｃとを繋ぐ第７辺３３とを有する。
また図２（ｂ）に示すように、第８角部３Ｄ、第９角部３Ｆ、第１０角部３Ｆ１と、第８角部３Ｄと第９角部３Ｆとを繋ぐ第８辺３４と、第９角部３Ｆと第１０角部３Ｆ１とを繋ぐ第９辺３５と、第１０角部３Ｆ１と第８角部３Ｄとを繋ぐ第１０辺３６を有する。
また図１に示すように、第６角部３Ｅと第１０角部３Ｆ１とを繋ぐ第１１辺３７と、第７角部３Ｅ１と第９角部３Ｆとを繋ぐ第１２辺３８と、第５角部３Ｃと第８角部３Ｄとを繋ぐ第１３辺３９を有する。
【００１４】  図２（ａ）に示すように、第１辺２３の中心と第６辺３２の中心３Ｃ１は同じである。また（ｂ）に示すように、第３辺２５の中心と第９辺３５の中心３Ｄ１は同じである。
【００１５】  言い換えれば、吸収性物品１における吸収体部３は装着者の股間部の肌との隙間を埋めるために、図１に示すように第１辺２３は装着者の排泄領域に近く、第３辺２５は第１辺２３より装着者の排泄領域から後方になるように形成している。図２に示すように第３辺２５の後側面側から見た吸収体物品１の形状は、第３辺２５の前側面側から見た吸収体物品１の形状より大きい。この大きさの違いは図３に示すように、前方から後方に向けて傾斜を形成しており、これらが装着者の股間部の形状と等しくなり、装着者の股間部の肌と吸収性物品の隙間を埋めるため、排泄領域から排泄される液状物の伝い漏れを止めることができる。
【００１６】  既存の吸収性物品と大きく違うのは、図４に示すように、吸収性物品１の吸収体部３の両横に配置した羽部２の羽部左側２１の左側粘着テープ５１，左側第２粘着テープ５２、左側第３粘着テープ５３と、羽部右側２２の右側第１粘着テープ６１、右側第２粘着テープ６２、右側３１粘着テープ６３で装着者の股間部の肌に貼付し固定する点である。
【００１７】  図５に示すように、装着者の股間部の肌に吸収体部３を密着させてから、羽部２の羽部左側２１の左側粘着テープ５１，左側第２粘着テープ５２、左側第３粘着テープ５３と、羽部右側２２の右側第１粘着テープ６１、右側第２粘着テープ６２、右側３１粘着テープ６３を使い、装着者の股間部の肌に貼付し固定することで、吸収性物品１より後方の装着者の股間部の肌に排泄領域から排泄される液状物が伝い漏れることを止めることができる。
【００１８】  吸収性物品１の第１辺２３の長さは、好ましくは２０ｍｍ以上５０ｍｍ以下である。第３辺２５の長さは、好ましくは３０ｍｍ以上６０ｍｍ以下である。
【００１９】  吸収性物品１の第１３辺３９の長さは、好ましくは２０ｍｍ以上７０ｍｍ以下である。
【００２０】  吸収性物品１の吸収体部３の第５角部３Ｃと第６辺の中心３Ｃ１との高さ４０の長さは、好ましくは５ｍｍ以上２０ｍｍ以下である。
【００２１】  吸収性物品１の吸収体部３の第８角部３Ｄと第９辺の中心３Ｄ１の高さ４１の長さは、好ましくは１０ｍｍ以上３０ｍｍ以下である。
【００２２】  吸収性物品１の吸収体部３の第６辺３２の長さは、好ましくは５ｍｍ以上２５ｍｍ以下である。吸収体部３の第９辺３５の長さは、好ましくは１０ｍｍ以上３０ｍｍ以下である。
【００２３】  吸収性物品１の羽部２と吸収体３の表面の肌に接する肌当接面の素材は、既存する生理用ナプキンの液透過性のある不織布、開孔フィルム、綿、オーガニックコットン、または同等のもの、もしくはいずれかを組み合わせもので形成し、吸収体３で吸収した液状物が装着者の股間部の肌に直接触れるような不快感と刺激を与えないようにすることが好ましい。
【００２４】  吸収性物品１の羽部２と吸収体３の裏面（図示せず）の肌に接しない非肌当接面の素材は、既存する生理用ナプキンのフィルム素材もしくは撥水性の不織布、または同等のもの、もしくはいずれかを組み合わせたもので形成し、吸収体３で吸収した液状物が裏面から漏れないようすることが好ましい。
【００２５】  吸収性物品１の吸収体３の内部の装着者の排泄領域から排泄された液状物を吸収する素材は、既存する生理用ナプキンの綿、綿状パルプ、ゼリー状に固める吸収ポリマー、高分子吸収材、型崩れを防ぐ給水紙、または同等のもの、もしくはいずれかを組み合わせたもので形成することが好ましい。
【００２６】  吸収性物品１の羽部２の左側羽部２１の左側第１粘着テープ５１、左側第２粘着テープ５２、左側第３粘着テープ５３、右側第１粘着テープ６１、右側第２粘着テープ６２、右側３１粘着テープ６３の素材は既存する医療用粘着テープ等に使われているポリエステル不織布とアクリル系粘着剤、または同等のものを組み合わせたもので形成し、肌と体毛への刺激と負担を軽減することが好ましい。
【００２７】  以上、本考案者によってなされた考案を実施の形態に基づき具体的に説明したが、本考案は前記実施の形態に限定されるものではなく、その要旨を逸脱しない範囲で種々変更可能であることは言うまでもない。
【００２８】  例えば、前記実施の形態では、生理用ナプキン、パンティーライナー（おりものシート）尿失禁パッド等と併用する吸収性物品１について説明したが、介護用パンツタイプの紙おむつ等とも併用することができる。また前期実施の形態では羽部２の左側羽部２１およぶ右側羽部２２の粘着テープの本数と形態について説明したが、粘着テープの本数は３本ではなく２本でもよく、また形状も実線ではなく破線やドットの連続であってもよい。また前期実施の形態では、吸収体部１と羽部２の表面、裏面、内部、粘着テープの素材について説明したが、装着者への肌と体毛に配慮でき、排出領域から排出された液状物の吸収に優れる素材であれば、新しい素材を用いて組み合わせをすることができる。
【符号の説明】
【００２９】１      吸収性物品
２      羽部
２１    羽部左側
２２    羽部右側
２Ａ    第１角部
２Ａ１  第２角部
２Ｂ    第３角部
２Ｂ１  第４角部
２３    第１辺
２４    第２辺
２５    第３辺
２６    第４辺
３      吸収体部
３Ｃ    第５角部
３Ｃ１  第１辺と第６辺の中心点
３Ｅ    第６角部
３Ｅ１  第７角部
３１    第５辺
３２    第６辺
３３    第７辺
３Ｄ    第８角部
３Ｄ１  第３辺と第９辺の中心点
３Ｆ    第９角部
３Ｆ１  第１０角部
３４    第８辺
３５    第９辺
３６    第１０辺
３７    第１１辺
３８    第１２辺
３９    第１３辺
４０    第５角部と第６辺の中心点の高さ
４１    第８角部と第９辺の中心点の高さ
５１    左側第１粘着テープ
５２    左側第２粘着テープ
５３    左側第３粘着テープ
６１    右側第１粘着テープ
６２    右側第２粘着テープ
６３    右側第３粘着テープ
【図１】
0003231734.tif 000003
【図２】
0003231734.tif 000004
【図３】
0003231734.tif 000005
【図４】
0003231734.tif 000006
【図５】
0003231734.tif 000007